(57)【特許請求の範囲】
【請求項１】
籾摺部１，揺動選別部３，混合米揚穀機４及び玄米揚穀機５を具備する籾摺選別機であって、籾供給調節弁３８の開閉及び揺動クラッチの入切を操作することのできる第１操作レバー３１と、揺動選別部３の仕上げ玄米を機内循環したりあるいは機外排出に切り替える仕上米循環・排出弁６０を操作することのできる第２操作レバー５３を接近させて配置したことを特徴とする籾摺選別機の操作レバー。
【発明の詳細な説明】
【０００１】
【発明の属する技術分野】
この発明は、籾摺選別機の操作レバーの改良に関するものである。
【０００２】
【従来の技術】
従来技術として、特開平９−１０８０号公報の発明がある。この発明は、単一の操作レバーを回動操作することにより、籾摺部の籾供給調節弁，揺動選別部の揺動クラッチ及び仕上げ玄米を機内循環したりあるいは機外排出する切替弁を一定の順序に従って操作するものである。
【０００３】
【発明が解決しようとする課題】
前記従来発明は、単一の操作レバーにより、籾供給調節弁，揺動クラッチ及び機内循環・機外排出の切替弁を一定の順序に従って操作するものであって、操作を簡単化した良さはあるものの、籾摺選別作業を一時中断する際には作業能率が低下するという問題点があった。
【０００４】
即ち、作業を停止する場合に操作レバーを作業位置から停止位置に復帰させると、機内循環・機外排出切替弁を機外排出状態から機内循環状態に切り替え、次いで、揺動クラッチを入り状態から切り状態に切り替え、次いで、籾供給調節弁を開状態から閉鎖状態に切り替えて、停止する構成である。
しかして、中断作業を再開する場合には、まず、籾供給調節弁を閉鎖状態から開状態に切り替え、次いで、揺動クラッチを切り状態から入り状態に切り替え、次いで、機内循環・機外排出切替弁を機内循環状態から機外排出状態に変更するものである。従って、作業再開時には一時的に仕上げ玄米が機内循環した後に機外排出状態に切り替えられるため、作業再開当初から仕上げ玄米を機外に取り出しすることが出来ず、作業能率が低下するという問題があつた。そこで、この発明はこのような問題点を解決しようとするものでである。
【０００５】
【課題を解決するための手段】
この発明は、このような問題点を解決するために、次の技術的手段を講じた。即ち、この発明は、籾摺部１，揺動選別部３，混合米揚穀機４及び玄米揚穀機５を具備する籾摺選別機であって、籾供給調節弁３８の開閉及び揺動クラッチの入切を操作することのできる第１操作レバー３１と、揺動選別部３の仕上げ玄米を機内循環したりあるいは機外排出に切り替える仕上米循環・排出弁６０を操作することのできる第２操作レバー５３を接近させて配置したことを特徴とする籾摺選別機の操作レバーの構成とした。
【０００６】
【作用】
第１操作レバー３１を籾供給調節弁作動体３６に係合させて籾供給調節弁３８を操作可能状態とし、次いで、第１操作レバー３１を閉位置から開位置に操作し、籾供給調節弁３８を開状態にする。
次いで、第１操作レバー３１を揺動クラッチ作動体３７に係合し、揺動切位置から揺動入位置に移動し、揺動クラッチを入り状態にする。
【０００７】
次いで、第２操作レバー５３を仕上げ玄米の循環位置から機外排出位置に操作して、仕上米循環・排出弁６０を機内循環状態から機外排出状態に切り替える。
【０００８】
【発明の効果】
この発明は、前述のように、第１操作レバー３１により籾供給調節弁３８及び揺動クラッチを操作し、第２操作レバー５３により仕上米循環・排出弁６０を独立して操作できる構成であるので、仕上米循環・排出弁６０を機外排出側に操作したままの状態で、第１操作レバー３１により揺動クラッチを切り状態とし、籾供給調節弁３８を閉状態にできるので、作業中断時には揺動選別板１５の全幅にわたり穀粒を分布したままの状態で一時停止することができて、作業再開時には第１操作レバー３１だけを操作して籾供給調節弁３８を閉状態から開状態に切り替え、次いで、揺動クラッチを切り状態から入り状態にすることにより、操作を簡単化しながら、作業再開時に揺動選別板１５の揺上側に分布している仕上げ玄米を再開当初から機外に取り出すことができ能率的な選別作業をすることができる。
【０００９】
【発明の実施の形態】
以下、図面に示すこの発明の実施例について説明する。
まず、図１に基づき、籾摺選別機の全体構成について説明する。
籾摺選別機は、籾摺をする籾摺部１，籾摺部１からの摺落米を風選する摺落米風選部２，摺落米風選部２での風選後の混合米を籾・玄米に分離選別する揺動選別部３，混合米揚穀機４及び玄米揚穀機５等により構成されている。
【００１０】
籾摺部１は、上部の籾ホッパ６，籾摺ロ−ル７，７の内装されている籾摺室８等で構成されている。摺落米風選部２は、摺落米風選箱９，摺落米風選路１０，粃受樋１１，摺落米受樋１２，吸引フアン１３，排塵筒１４等により構成されている。
次に、揺動選別部３について説明する。
【００１１】
多段の揺動選別板１５，１５，…には、板面に選別用の凹凸あるいは選別凸条が形成されていて、縦方向の一側を高い供給側、他側を低い排出側とし、縦方向に直交する横方向の一方側を高い揺上側、反対側を低い揺下側として、揺動選別板１５の縦横２方向ともに傾斜した構成とし、揺動選別板１５，１５，…は揺動アーム，揺動リンクから構成されている揺動装置で、横方向斜め上下に往復揺動される構成である。
【００１２】
この揺動選別板１５，１５，…における供給側には供給口が構成されていて、分配供給樋１６及び分配ケース１７を経由して、混合米が供給口から供給される構成である。揺動選別板１５，１５，…に供給された混合米は、粒形の大小，比重の大小，摩擦係数の大小等の関係で、比重の重い小形の玄米は揺上側に偏流分布し、また、玄米に比較して大きく比重の軽い籾は、揺下側に偏流分布し、また、その中間部には分離されない籾・玄米の混合米が分布しながら選別される。しかして、これらの選別穀粒は、揺動選別板１５の排出側に設けられている玄米仕切板１８及び籾仕切板１９で仕切られて取り出される。
【００１３】
取り出された玄米は、玄米取出樋２０，玄米流路２１，玄米揚穀機５を経て機外に取り出され、また、混合米は混合米取出樋２２，混合米流路２３，摺落米受樋１２，混合米揚穀機４，混合米ホッパ２４，分配供給樋１６，分配ケース１７を経て、揺動選別板１５，１５，…に供給されて再選別される。また、取り出された籾は、籾取出樋２５，籾流路２６，籾揚穀機２７を経て籾摺部１に揚穀還元されて、再度の籾摺がなされる構成である。
【００１４】
次に、籾摺選別機の作用について説明する。
籾摺作業をする場合には、籾摺部１の籾ホッパ６に籾を供給し、籾摺選別機の回転各部を駆動する。次いで、籾ホッパ６から籾摺ロール７，７に籾を供給して籾摺し、摺落米を下方の摺落米風選路１０で風選する。軽い籾殻を吸引フアン１３，排塵筒１４を経て機外に排出し、比較的軽い粃粒は粃受樋１１に落下選別され、重い玄米及び籾の混合米は、摺落米受樋１２に落下選別される。
【００１５】
しかして、選別された混合米は、混合米揚穀機４，混合米ホッパ２４，分配供給樋１６及び分配ケース１７を経て、揺動選別板１５，１５，…に供給される。混合米は、揺動選別板１５が横方向斜上下に往復揺動されると、粒形の大小、比重の大小、摩擦係数の大小等の関係で、小形で比重の重い玄米は揺上側に偏流分布し、また、玄米に比較して大形で比重の軽い籾は揺下側に偏流分布し、また、その中間部には分離されない混合米が分布しつつ選別される。
【００１６】
揺動選別板１５，１５，…の排出側から流下した穀粒は、玄米仕切板１８及び籾仕切板１９で仕切られる。玄米仕切板１８で仕切られた玄米は、玄米取出樋２０，玄米流路２１及び玄米揚穀機５を経て機外に取り出され、また、玄米仕切板１８及び籾仕切板１９で仕切られた混合米は、混合米取出樋２２，混合米流路２３，混合米揚穀機４，混合米ホッパ２４，分配供給樋１６及び分配ケ−ス１７を経て揺動選別板１５に供給されて再選別され、また、籾仕切板１９で仕切られた籾は、籾取出樋２５，籾流路２６及び籾揚穀機２７を経て籾摺部１に還元されて再度の籾摺がされる。
【００１７】
次に、図２乃至図５に基づき、操作レバーについて説明する。
籾ホッパ６の揺動選別部３側に幅広の平面部２８を構成して、この平面部２８にＵ字形の第１操作溝３２、及び、直線状の第２操作溝５２を構成し、この第１操作溝３２，第２操作溝５２に沿って第１操作レバー３１，第２操作レバー５３を夫れ夫れ移動操作自在に設けるている。
【００１８】
籾ホッパ６の下部に一体的に取り付けた支持ブラケット３３には、図４の左右方向（機体の前後方向）に沿った支持軸３４を取り付けている。この支持軸３４には軸心回りに回動できるように第１筒体３５及び第２筒体５４を嵌合支持し、この第１筒体３５には第１操作レバー３１の基部を支持軸３４と交叉する軸で左右に揺動自在に軸支し、第２筒体５４には第２操作レバー５３を固着している。しかして、支持軸３４の軸心回りには、第１操作レバー３１と第１筒体３５とは一体的に回動し、また、第２操作レバー５３と第２筒体５４とは一体的に回動する構成としている。
【００１９】
また、支持軸３４における第１筒体３５の左右左右両側には、籾供給調節弁作動体３６及び揺動クラッチ作動体３７を回動自在に支持し、籾供給調節弁作動体３６の上部には左側に回動した第１操作レバー３１が係合するＵ字型の係合部３６ａを構成し、籾供給調節弁作動体３６の下部には、連動ロッド４３の基部を連係し、連動ロッド４３の先端を籾供給調節弁３８側に連係している。
【００２０】
また、揺動クラッチ作動体３７の上部には、右側に回動した第１操作レバー３１が係合するＵ字型の係合部３７ａを構成し、揺動クラッチ作動体３７の上部のクラッチ連係部３９には、揺動選別部３の揺動クラッチを入切する揺動クラッチワイヤ４０の基部を連係し、揺動クラッチワイヤ４０の先端をテンションプーリ５５を軸支したクラッチアーム５５ａに連結し、揺動クラッチ作動体３７のクラッチ入り位置への回動により、伝導ベルト５６に押圧すると、中間プ−リ５７から揺動プ−リ５８に動力が伝達されて、揺動選別板１５が揺動する構成である。
【００２１】
また、第２操作レバー５３側の第２筒体５４には、玄米弁作動体５９を取り付け、玄米弁作動体５９の先端部には、揺動選別部３の玄米取出樋２０の穀粒を機外排出状態と機内循環状態とに切り替える玄米ワイヤ４２の基部を係合している。
しかして、第１操作レバー３１を左側に回動して、第１操作レバー３１の中間部を籾供給調節弁作動体３６の係合部３６ａに係合すると、籾供給調節弁３８が操作可能状態となり、図２に示すように、第１操作溝３２における籾供給調節弁操作溝部３２ａの閉位置から開位置に操作すると、籾供給調節弁３８が閉から開に操作される構成である。
【００２２】
また、第１操作レバー３１を右側に回動して、第１操作レバー３１の中間部を揺動クラッチ作動体３７の係合部３７ａに係合し、第１操作溝３２における揺動操作溝部３２ｂの揺動切位置から揺動入位置に移動させると、揺動クラッチワイヤ４０が押されて、揺動クラッチが入り状態となる。
また、第２操作レバー５３を第２操作溝５２の仕上米循環位置から仕上米排出位置に操作すると、玄米弁作動体５９の端部で玄米ワイヤ４２を引っ張り、仕上米循環・排出弁６０を機内循環状態から機外排出状態に切り替え、玄米仕切板１８で仕切られた玄米が機外に取り出される構成である。
【００２３】
このように、機体の中心部に第１操作レバー３１及び第２操作レバー５３を設けて、第１操作レバー３１により籾供給調節弁３８及び揺動クラッチを操作し、第２操作レバー５３により仕上米循環・排出弁６０を操作するものであるので、籾供給調節弁３８を閉位置から開位置に移動した後に、揺動クラッチを切り状態から入り状態へと操作できて、順序正しく機体の操作ができると共に、籾供給調節弁３８及び揺動クラッチの操作とは独立して第２操作レバー５３により仕上米循環・排出弁６０を操作できるので、仕上米循環・排出弁６０を排出側に操作したままで、揺動クラッチを切り状態として、籾供給調節弁３８を閉状態に操作できるものであり、作業中断時に揺動選別板１５の全幅に穀粒が分布したままの状態で一時停止することができる。従って、作業再開時には第１操作レバー３１により籾供給調節弁３８を閉状態から開状態に切り替え、次いで、揺動クラッチを切り状態から入り状態に操作することにより、作業再開当初から揺動選別板１５の揺上側に分布している仕上げ玄米を迅速に機外に取り出すことができ能率的な選別作業をすることができる。
【００２４】
次ぎに、図５に基づき籾供給調節弁作動体３６，籾供給調節弁３８及び混合米ホッパ２４の関連構成について説明する。
機枠４４にはピン４５ａで回動体４５を軸支し、この回動体４５の一端に、前記連動ロッド４３の先端側を枢支連結し、回動体４５の他端にピン４６ａで三角形状の中間回動体４６の第１角部を軸支し、中間回動体４６の第２角部には弁連動ロッド４７の一端を枢支連結し、弁連動ロッド４７の回動側の他端には籾供給調節弁３８のア−ム部を連係している。
【００２５】
また、混合米ホッパ２４にはホッパ連動ロッド４８の上端を連結し、機枠４４に三角形状のホッパ回動体４９の第１角部をピン４９ａで軸支し、ホッパ回動体４９の第２角部にホッパ連動ロッド４８の下端を連結し、ホッパ回動体４９の第３角部に中間連係ロッド５０の一端を連係し、中間連係ロッド５０の他端を前記中間回転体４６の第３角部に連係している。
【００２６】
しかして、第１操作レバー３１を閉位置から開位置の間を操作すると、籾供給調節弁作動体３６，連動ロッド４３，回動体４５，中間回動体４６，弁連動ロッド４７を介して、籾供給調節弁３８が開操作される。この操作レバー３１による開閉操作は、混合米ホッパ２４の上下動による籾供給調節弁３８の連係とは無関係になされる。
【００２７】
また、混合米ホッパ２４が穀粒量の増減により上下動すると、ホッパ連動ロッド４８，ホッパ回動体４９，中間連動ロッド５０，中間回動体４６，弁連動ロッド４７を介して、籾供給調節弁３８が関連的に減増調節される。
なお、この関連調節は第１操作レバー３１とは無関係に調節される構成である。また、籾供給調節弁３８のア−ム部には、図面は省略したが、開方向に付勢するばねを取り付けている。６１は揺動クラッチ作動体３７に取り付けられている非常用レバーで、残留穀粒処理時等に揺動クラッチの入切操作をするものである。
【図面の簡単な説明】
【図１】全体の切断側面図
【図２】要部の平面図
【図３】要部の側面図
【図４】要部の正面図
【図５】要部の斜視図
【符号の説明】
１…籾摺部，２…摺落米風選部，３…揺動選別部，
４…混合米揚穀機，５…玄米揚穀機，６…籾ホッパ，
７…籾摺ロール，８…籾摺室，９…摺落米風選箱，
１０…摺落米風選路，１１…粃受樋，１２…摺落米受樋，
１３…吸引フアン，１４…排塵筒，１５…揺動選別板，
１６…分配供給樋，１７…分配ケース，１８…玄米仕切板，
１９…籾仕切板，２０…玄米取出樋，２１…玄米流路，
２２…混合米取出樋，２３…混合米流路，２４…混合米ホッパ，
２５…籾取出樋，２６…籾流路，２７…籾揚穀機，２８…平面部，
２９…排塵カバ−，３０…揺動カバ−，３１…第１操作レバー，
３２…第１操作溝，３３…ブラケット，３４…支持軸，
３５…第１筒体，３６…籾供給調節弁作動体，
３７…揺動クラッチ作動体，３８…籾供給調節弁，
３９…クラッチ連係部，４０…揺動クラッチワイヤ，
４１…切替連係部，４２…玄米ワイヤ，４３…連動ロッド，
４４…機枠，４５…回動体，４６…中間回動体，
４７…弁連動ロッド，４８…ホッパ連動ロッド，
４９…ホッパ回動体，５０…中間連動ロッド，５１…ばね，
５２…第２操作溝，５３…第２操作レバー，５４…第２筒体，
５５…テンションプーリ，５６…伝導ベルト，５７…中間プーリ，
５８…揺動プーリ，５９…玄米弁作動体，６０…仕上米循環・排出弁，
６１…非常用レバー。
【図１】
0003648991.tif 000002
【図２】
0003648991.tif 000003
【図３】
0003648991.tif 000004
【図４】
0003648991.tif 000005
【図５】
0003648991.tif 000006